(57)【要約】      （修正有）【課題】構造の複雑化やコストの増大を抑えつつ、遊技情報の変更が容易とされると共に、遊技的演出効果乃至は広告宣伝効果が向上される、新規な構造の遊技機用情報表示装置を提供する。【解決手段】遊技機の遊技状況に応じて変化する信号を受けて発光する光源と、カバー部材１８の光透過部と、印刷情報が表示された印刷シート２２と、印刷シート２２を光透過部に対して位置決め保持する保護プレート２４とが互いに重なるように配置されて、印刷情報と光源の光との組み合わせによって、遊技情報が表示されるようにした。【選択図】図２
0003148857.tif 000002
【実用新案登録請求の範囲】
【請求項１】
遊技機の遊技表示部の周囲に設けられて、遊技情報を表示する遊技機用情報表示装置において、
前記遊技表示部の周囲に取り付けられる取付け部を備えたベース部材と、
前記ベース部材に取り付けられて、前記遊技機の遊技状況に応じて変化する信号を受けて発光する光源と、
前記光源を覆うように前記ベース部材に取り付けられて、該光源の光を透過させる光透過部を備えたカバー部材と、
文字若しくは図案又は該文字と該図案との組み合わせからなる情報が印刷されて、かかる印刷情報が前記カバー部材の前記光透過部に対して重なるように配置されると共に、前記光源の光の透過性を有する印刷シートと、
前記光源の光の透過性を有していると共に、前記印刷シートの前記光透過部とは反対側から重なるようにして前記カバー部材に取り付けられて、該印刷シートを該光透過部に対して位置決め保持する保護プレート
とを、備えており、前記印刷情報と該印刷情報を透過する前記光源の光との組み合わせによって、前記遊技情報が表示されることを特徴とする遊技機用情報表示装置。
【請求項２】
前記カバー部材が嵌合凹所を備えており、前記印刷シートと前記保護プレートが該嵌合凹所に順次嵌め込まれて相互に重ね合わされると共に、該印刷シートと重ね合わされた該嵌合凹所の底壁部分によって前記光透過部が構成されている請求項１に記載の遊技機用情報表示装置。
【請求項３】
前記カバー部材における前記嵌合凹所の周壁部分には、前記印刷シートと前記保護シートの少なくとも一方の外周部分を引っ掛けるものを挿入するための引っ掛け用凹所が形成されている請求項２に記載の遊技機用情報表示装置。
【請求項４】
前記保護プレートの外周部分と前記カバー部材における前記光透過部の周囲とが該保護プレートと該光透過部との重ね合わせ方向に直交する方向で対向しており、該保護プレートの外周部分と該カバー部材における該光透過部の周囲との何れか一方には、該保護プレートと該光透過部との重ね合わせ方向に直交する方向に突出した係合突起が周方向に離隔して複数設けられていると共に、該保護プレートの外周部分と該カバー部材における該光透過部の周囲との他方には、係合凹所が周方向に離隔して複数設けられており、各該係合突起が各該係合凹所に係合されることによって、該保護プレートが該カバー部材に取り付けられている請求項１乃至３の何れか一項に記載の遊技機用情報表示装置。
【請求項５】
前記係合突起が前記保護プレートの外周部分と一体形成されている請求項４に記載の遊技機用情報表示装置。
【請求項６】
前記係合突起の一対が、前記保護プレートの中央部を挟んで対向して位置する請求項５に記載の遊技機用情報表示装置。
【請求項７】
前記光源が前記ベース部材において複数設けられている請求項１乃至６の何れか一項に記載の遊技機用情報表示装置。
【考案の詳細な説明】
【技術分野】
【０００１】
本考案は、遊技機の遊技表示部の周囲に設けられて、遊技情報を表示する遊技機用情報表示装置に関するものである。
【背景技術】
【０００２】
従来から、パチンコ機やスロット機、業務用ゲーム機等の遊技機における遊技盤やモニター等の遊技表示部の周りに設けられて、遊技状況の報知や遊技機に関する広告等の遊技情報を表示する遊技機用情報表示装置の一種として、例えば特許文献１に示される如き表示装置がある。
【０００３】
この表示装置は、表面に文字やデザインが施された導光板からなる表示プレートと、遊技台乃至は島等に設置されて、遊技機の遊技状況に応じて点灯するＬＥＤ等の光源が内蔵された本体部とを含んで構成されており、表示プレートの端部が本体部に差し込まれて、光源の光が導光板の内部で乱反射することによって、表示プレートが遊技状況に応じて点灯等することが可能とされている。
【特許文献１】特開２００５−２８７９８７号公報
【考案の開示】
【考案が解決しようとする課題】
【０００４】
しかしながら、特許文献１に記載の表示装置においては、光源の光が表示プレートの本体部に挿入された一端部から照射される構造であるため、表示プレートの発光態様が単調なものとなり、ユーザに対して十分に興味を引かせることが難しかった。
【０００５】
また、遊技情報の変更に伴い、表示プレートに施された文字やデザインを変更する場合に、例えば、別の文字やデザインが施された導光板を別途用意すると、製造コストが嵩む問題があった。或いは、導光板に同じものを用いて、導光板の表面に重ね合わされる文字等を施したシートだけを変更するにしても、シートを導光板表面に確実に支持させると共に、それらシートと導光板からなる表示プレートを本体部に確実に組み付ける必要があることから、構造の複雑化や組み付け作業に手間がかかる問題があった。
【０００６】
本考案は、上述の如き事情を背景として為されたものであって、その解決課題とするところは、構造の複雑化やコストの増大を抑えつつ、遊技情報の変更が容易とされると共に、遊技的演出効果乃至は広告宣伝効果が向上される、新規な構造の遊技機用情報表示装置を提供することにある。
【課題を解決するための手段】
【０００７】
かかる課題を解決するためになされた請求項１に記載の考案は、遊技機の遊技表示部の周囲に設けられて、遊技情報を表示する遊技機用情報表示装置において、前記遊技表示部の周囲に取り付けられる取付け部を備えたベース部材と、前記ベース部材に取り付けられて、前記遊技機の遊技状況に応じて変化する信号を受けて発光する光源と、前記光源を覆うように前記ベース部材に取り付けられて、該光源の光を透過させる光透過部を備えたカバー部材と、文字若しくは図案又は該文字と該図案との組み合わせからなる情報が印刷されて、かかる印刷情報が前記カバー部材の前記光透過部に対して重なるように配置されると共に、前記光源の光の透過性を有する印刷シートと、前記光源の光の透過性を有していると共に、前記印刷シートの前記光透過部とは反対側から重なるようにして前記カバー部材に取り付けられて、該印刷シートを該光透過部に対して位置決め保持する保護プレートとを、備えており、前記印刷情報と該印刷情報を透過する前記光源の光との組み合わせによって、前記遊技情報が表示されることを特徴とする。なお、前記図案は、形状、模様若しくは色彩又はこれらの結合をいう。
【０００８】
このような本考案の遊技機用情報表示装置においては、遊技機の遊技状況に応じて変化する光が印刷シートの印刷情報を透過することで、遊技情報が表示されていることから、遊技をするユーザに対して遊技情報を効果的に印象付けることが出来る。これにより、印刷情報として遊技が楽しくなる図案や文字を表示したり、遊技機に関する広告を載せたりすること等で、遊技の演出効果や広告宣伝効果が向上される。
【０００９】
また、印刷シートがカバー部材や保護プレートと別体構造とされていることによって、印刷情報を変更する際には、印刷シートだけを交換すれば良くなり、カバー部材や保護プレートを特別に交換する必要がない。
【００１０】
さらに、印刷シートがカバー部材と保護プレートの間に挟み込み支持されていることで、印刷シートがカバー部材に安定して組み付けられることに加え、印刷シートにおいてカバー部材に取り付けるための部材乃至は部位を特別に設ける必要がないことから、印刷シートの製造が容易になる。
【００１１】
それ故、本考案の遊技機用情報表示装置によれば、構造の複雑化やコストの増大を抑えつつ、遊技的演出効果乃至は広告宣伝効果の高い遊技情報が、種々の変更に応じて表示される。
【００１２】
また、本考案の遊技機用情報表示装置では、請求項２に記載のように、前記カバー部材が嵌合凹所を備えており、前記印刷シートと前記保護プレートが該嵌合凹所に順次嵌め込まれて相互に重ね合わされると共に、該印刷シートと重ね合わされた該嵌合凹所の底壁部分によって前記光透過部が構成されていても良い。
【００１３】
これにより、嵌合凹所の周壁部分を利用して、印刷シートや保護プレート、カバー部材の光透過部における重ね合わせ方向に直交する方向の位置決め配置が確実となり、延いては光源の光を印刷シートの目的とする位置に照射することが出来て、所期の遊技情報がより確実に表示される。
【００１４】
また、印刷シートや保護プレートが嵌合凹所に嵌め込まれることによって、表示装置における印刷シートや保護プレートの重ね合わせ方向の寸法が抑えられる。その結果、表示装置が遊技機の遊技表示部の周囲に設置される際に、該周囲からユーザに向かって突出する寸法が抑えられることから、ユーザが表示プレートに接触し易くなる等の不具合が防止される。
【００１５】
つまり、特許文献１に記載の表示装置では、薄板状の表示プレートが遊技台乃至は島からユーザに向かって突出していることから、ユーザが表示プレートに接触すると、表示プレートが折れたり、表示プレートが本体部から脱落したり等して、遊技情報が安定して表示され難くなるおそれがあった。本考案によれば、印刷シートや保護プレートが嵌合凹所に嵌め込まれることで、それらシートやプレートのユーザに向かう突出寸法が抑えられて、ユーザとの接触機会が軽減されることにより、遊技情報が一層安定して表示されるのである。
【００１６】
また、本考案の遊技機用情報表示装置では、請求項３に記載のように、前記カバー部材における前記嵌合凹所の周壁部分には、前記印刷シートと前記保護シートの少なくとも一方の外周部分を引っ掛けるものを挿入するための引っ掛け用凹所が形成されていても良い。
【００１７】
このような本考案の遊技機用情報表示装置によれば、印刷シートや保護シートをカバー部材の嵌合凹所から容易に取り出すことが出来る。
【００１８】
また、本考案の遊技機用情報表示装置では、請求項４に記載のように、前記保護プレートの外周部分と前記カバー部材における前記光透過部の周囲とが該保護プレートと該光透過部との重ね合わせ方向に直交する方向で対向しており、該保護プレートの外周部分と該カバー部材における該光透過部の周囲との何れか一方には、該保護プレートと該光透過部との重ね合わせ方向に直交する方向に突出した係合突起が周方向に離隔して複数設けられていると共に、該保護プレートの外周部分と該カバー部材における該光透過部の周囲との他方には、係合凹所が周方向に離隔して複数設けられており、各該係合突起が各該係合凹所に係合されることによって、該保護プレートが該カバー部材に取り付けられていても良い。
【００１９】
これにより、保護プレートやカバー部材と別体構造のボルトやビス等の固定部材を用いることなく、保護プレートとカバー部材を手作業で着脱することも可能となり、着脱作業が容易になる。
【００２０】
また、本考案の遊技機用情報表示装置では、請求項５に記載のように、前記係合突起が前記保護プレートの外周部分と一体形成されていても良い。
【００２１】
このような本考案によれば、係合突起が保護プレートの外周部分と一体形成されていることで、製造が容易になることに加え、特に凹所を設けるための厚さ寸法を保護プレートに要しないことから、保護プレートの薄肉化が図られる。
【００２２】
その結果、例えば、保護プレートを弾性部材で形成することと保護プレートの薄肉化とが相俟って、保護プレートを容易に弾性変形させることが出来、かかる変形容易に基づいて、係合突起を係合凹所に係合し、且つ保護プレートや印刷シート、カバー部材を相互に重ね合わせる取り付け作業や、或いは係合突起と係合凹所の係合状態を解除して、保護プレートや印刷シートをカバー部材から取り外す作業の更なる容易化が図られる。
【００２３】
また、本考案の遊技機用情報表示装置では、請求項６に記載のように、前記係合突起の一対が、前記保護プレートの中央部を挟んで対向して位置していても良い。
【００２４】
それによって、保護プレートのカバー部材に対する取り付け位置のバランスが安定し、印刷シートがカバー部材の光透過部に対して一層確実に取り付けられる。
【００２５】
また、本考案の遊技機用情報表示装置では、請求項７に記載のように、前記光源が前記ベース部材において複数設けられていても良い。
【００２６】
これにより、各光源における色や明るさ、形状、大きさ、発光時間等の発光態様を適宜に組み合わせることによって、演出効果の更なる向上が図られる。
【考案を実施するための最良の形態】
【００２７】
以下に、本考案を具体化した実施形態について、図面を参照しつつ詳細に説明する。先ず、図１には、本考案の遊技機用情報表示装置に係る一実施形態としての表示装置１０が遊技機としてのパチンコ機１２の島１４に複数設置された状態が示されている。
【００２８】
なお、本実施形態のパチンコ機１２を備えた島１４は、周知の構造を採用可能であることから、その詳細な説明を省略するが、所定の間隔で立設された支柱や台板を組み合わせてなる枠組みに対して、複数のパチンコ機１２を並列的に設けた構造とされている。本実施形態の表示装置１０は、島１４における複数のパチンコ機１２の上方においてパチンコ機１２の並列方向（図１中、左右）と平行に複数設けられている。即ち、表示装置１０は、パチンコ機１２の遊技表示部としての遊技盤１５の上方に設けられている。
【００２９】
詳細には、表示装置１０は、図２，３に示されているように、略円盤形状を有しており、島１４に固設されるベース部材１６と、ベース部材１６に組み付けられるカバー部材１８及びＬＥＤ基板２０と、カバー部材１８に組み付けられる印刷シート２２及び保護プレート２４とを含んで構成されている。
【００３０】
ベース部材１６は、図４〜７にも示されているように、中央に通孔２６を備えた平面視略円環状の浅底皿形状を有しており、ＡＢＳ樹脂等の硬質材料を用いて形成されている。ベース部材１６の径方向中間部分には、ベース部材１６の正面側（図６，７中、上）に突出した略円筒状の固定突起２８が、周方向に離隔して複数設けられている。また、ベース部材１６の径方向中間部分には、取り付け部としての貫通孔３０が周方向に離隔して複数貫設されている。
【００３１】
さらに、鉤状の係止突起３２の一対が、ベース部材１６の外周縁部と一体形成されて、通孔２６を挟んだ径方向一方向（図６，７中、左右）で対向位置している。更にまた、ベース部材１６の背面側（図６，７中、下）には、通孔２６とベース部材１６の外周縁部を繋ぐように延びる凹溝３４の複数条が、周方向に離隔して設けられている。
【００３２】
かかるベース部材１６においては、その背面が島１４のパチンコ機１２の上方における目的とする固定位置の表面に重ね合わされると共に、図示しない固定ビスがベース部材１６の正面側から各貫通孔３０を通じて島１４に螺着されることで、島１４に固設されるようになっている。
【００３３】
カバー部材１８は、図８〜１１にも示されているように、略円形の逆カップ状を呈していると共に、アクリル樹脂やメタクリル樹脂等の硬質であり、且つ光透過性を有する材料を用いて形成されている。カバー部材１８の周壁部分において背面側（図１０，１１中、下）に開口する端縁部が、鉤状断面とされている。
【００３４】
カバー部材１８には、底部全体から正面側に開口する浅底の略円形状の嵌合凹所３６が形成されている。嵌合凹所３６の薄肉の略円板形状を有する底壁部によって、カバー部材１８の光透過性を有する光透過部３８が構成されている。
【００３５】
また、カバー部材１８の周壁部分の一部を構成する嵌合凹所３６の周壁部分において、径方向内側に開口する一対の係合凹所４０，４０が、径方向一方向で対向位置して形成されている。更に、嵌合凹所３６の周壁部には、径方向内側に開口し、且つ嵌合凹所３６の周壁部分の開口端部に開口する引っ掛け用凹所４２，４２の一対が、一対の係合凹所４０，４０の対向方向に直交する径方向一方向で対向位置して形成されている。
【００３６】
なお、図面上に明示されていないが、カバー部材１８の周壁部分の表面は、全周に亘って、金属メッキ層等からなる反射シートを貼着したり、複数の凹凸を設けて粗面形状とされたりしている。これにより、カバー部材１８の背面側から光透過部３８に向かって光が照射されると、カバー部材１８の周壁部分に当たった光は積極的に乱反射して、光透過部３８に光が集められるようになっている。
【００３７】
ＬＥＤ基板２０は、図１２，１３に概略的に示されているように、薄肉の略円板形状を有するベース板部４４に対して、光源としてのＬＥＤ４６が複数実装された構造とされている。特に本実施形態では、ベース板部４４の外周縁部の一箇所に、位置決め用の切欠き４８が形成されており、この切欠き４８の周方向一方の側から略等間隔に８つのＬＥＤ４６ａ〜４６ｈが配されている。また、ベース板部４４の略中心軸上には、１つのＬＥＤ４６ｉが配されている。更に、ベース板部４４の径方向中間部分には、中央のＬＥＤ４６ｉを囲う長方形の角部に位置するようにして、４つのＬＥＤ４６ｊ〜４６ｍが配されている。
【００３８】
このベース板部４４におけるＬＥＤ４６が突設された面と反対側の背面がベース部材１６の各固定突部２８の先端に重ね合わされると共に、固定ビス５０がベース板部４４を貫通して固定突部２８の内孔に螺着されている。これにより、ＬＥＤ基板２０が、ベース部材１６の底壁部から離隔した形態で固定されている。
【００３９】
パチンコ機１２の遊戯状況に応じて各ＬＥＤ４６に点灯や点滅等の信号を入力するＬＥＤ基板２０の配線においては、各ＬＥＤ４６と接続するリード線が、ベース板部４４の背面側からベース部材１６の通孔２６を介して、必要に応じてベース部材１６の背面と島１４の重ね合わせ面間の凹溝３４内をつたい、パチンコ機１２の大当たり状況やリーチ状況、確変状況等の各種遊技状況を制御するＣＰＵ等を備えた周知の制御装置（図示せず）に対して接続されるようになっている。これにより、例えば、パチンコ機１２が大当たり状況の場合に、ＬＥＤ４６ａ〜４６ｉを符号のアルファベット順に点灯乃至は点滅させたり、確変やリーチ状況の場合に、一部又は全部のＬＥＤ４６を点灯乃至は点滅させたり等することが可能となる。
【００４０】
特に本実施形態では、ＬＥＤ基板２０が、位置決め用凹所４８が上方に位置するようにして、ベース部材１６を介して島１４に設置されることで、ＬＥＤ基板２０の各ＬＥＤ４６が島１４に対して位置決め配置されている。また、本実施形態における複数のＬＥＤ４６としては、全て赤色の発光ダイオードを用いているが、例えば、赤色に加えて青色や緑色の発光ダイオードを適宜組み合わせることによって、複数種類の色の光を発するようにしても良い。更に、本実施形態では、１台のパチンコ機１２の制御装置に対して複数の表示装置１０が電気的に接続されることで、複数の表示装置１０が、１台のパチンコ機１２の遊技状況に応じて、同時に又は個別に発光するようになっているが、例えば、１台のパチンコ機１２につき１つの表示装置１０を接続して、各表示装置１０を各パチンコ機１２の遊技状況に応じて発光させることも可能である。
【００４１】
そして、前述のカバー部材１８の周壁部分の開口端部における周上の二箇所が、ベース部材１６の一対の係止突起３２，３２に係止されていることで、該カバー部材１８がＬＥＤ基板２０を備えたベース部材１６に覆い被さるようにして固定されて、カバー部材１８の光透過部３８がＬＥＤ基板２０と所定距離を隔てて対向配置されている。
【００４２】
一方、図１４，１５に示される如き印刷シート２２と、図１６，１７に示される如き保護プレート２４は、何れも、カバー部材１８の光透過部３８よりも一回り小さな薄肉の略円板形状を有している。
【００４３】
また、印刷シート２２および保護プレート２４は、光透過性を有し、且つ可撓性を有する材料を用いて形成されており、特に印刷シート２２には、印刷作業の容易化等を考慮して、植物繊維やビスコースレーヨン、セルロースアセテート、合成繊維等を含む紙原料を用いて形成されている一方、保護プレート２４には、屈折率を高める観点からアクリル樹脂やメタクリル樹脂等が採用されている。
【００４４】
印刷シート２２には、例えば、互いに異なる着色が施された新台入荷！！！等の文字と多角形等の図案との組み合わせからなる情報が印刷されている。
【００４５】
また、保護プレート２４の外周縁部には、径方向外方に突出する一対の係合突起５２，５２が一体形成されて、保護プレート２４の中心軸を挟んだ径方向一方向（図１４，１５中、左右）で対向位置している。
【００４６】
この印刷シート２２がカバー部材１８の嵌合凹所３６に嵌め込まれて、カバー部材１８の光透過部３８に重ね合わされている。更に、一対の係合突起５２，５２を備えた保護プレート２４が、弾性変形しつつカバー部材１８の嵌合凹所３６に嵌め込まれて、印刷シート２２に重ね合わされると共に、弾性変形を解除して、各係合突起５２がカバー部材１８の各係合凹所４０に係合されている。
【００４７】
これにより、印刷シート２２が、カバー部材１８の光透過部３８と保護プレート２４の重ね合わせ面間に挟み込み支持されて、印刷シート２２および保護プレート２４が、カバー部材１８の光透過部３８およびベース部材１６と略同心状に配されている。即ち、カバー部材１８の光透過部３８や印刷シート２２、保護プレート２４が互いに重ね合わされた形態で、ベース部材１６のＬＥＤ基板２０と所定距離を隔てて対向配置されている。
【００４８】
従って、本実施形態の表示装置１０においては、ＬＥＤ基板２０の各ＬＥＤ４６が発する光が、カバー部材１８の光透過部３８や印刷シート２２、保護プレート２４に照射されると、ＬＥＤ４６の光と印刷シート２２の印刷情報が重なり合った遊技情報を表示装置１０の外部から視認できるようになっている。
【００４９】
すなわち、遊技情報が、パチンコ機１２の大当たりや確変等の遊技状況に応じて変化する光と印刷情報とを含んで構成されていることから、遊技をするユーザに対して遊技情報を効果的に印象付けることが可能となって、遊技の演出効果や広告宣伝効果が向上される。
【００５０】
また、本実施形態では、印刷シート２２が円形状の紙原料に印刷を施した簡単な構造とされていることから、印刷情報の異なる複数の印刷シート２２を、比較的に低いコストで、簡単に用意することが出来る。
【００５１】
特に本実施形態の保護プレート２４は、略正円形状を有し、且つ一対の係合突起５２，５２がその中心軸を挟んだ径方向一方向で対向位置していることで、表裏対称形状とされている。これにより、保護プレート２４の表裏を特に区別する必要がなくなって、カバー部材１６への取り付け作業が一層簡単になる。
【００５２】
加えて、一対の係合突起５２，５２が保護プレート２４の外周部分の周方向で十分に離隔配置されることとなり、保護プレート２４のカバー部材１６に対する固定位置が重心バランス上、安定する。その結果、保護プレート２４、延いては印刷シート２２をカバー部材１６の光透過部３８に対して一層安定して位置決めすることが出来、各ＬＥＤ４６の光が印刷シート２２を透過してなる遊技情報が、より安定して表示される。
【００５３】
また、本実施形態では、カバー部材１６の光透過部３８の周囲における嵌合凹所３６の周壁部分と保護プレート２４および印刷シート２２の各外周部分とが、光透過部３８や印刷シート２２、保護プレート２４の重ね合わせ方向に直交する方向で対向位置しており、かかる嵌合凹所３６の周壁部分に一対の引っ掛け用凹所４２，４２が形成されて、保護プレート２４および印刷シート２２の各外周部分に向かって開口している。これにより、例えば、かかる外周部分を引っ掛けるものとして、指の爪先やペンの先端部分等の比較的に先が尖った形状のものを引っ掛け用凹所４２の少なくとも一つに差し入れて、外周部分を引っ掛けつつ、保護プレート２４または保護プレート２４と共に印刷シート２２を取り出すことが出来、それによって、印刷シート２２のカバー部材１６からの取り出し作業が容易になる。
【００５４】
それ故、本実施形態の表示装置１０によれば、構造の複雑化やコストの増大を抑えつつ、遊技的演出効果乃至は広告宣伝効果の高い遊技情報が、種々の変更に応じて表示される。
【００５５】
以上、本考案の一実施形態について詳述してきたが、かかる実施形態における具体的な記載によって、本考案は、何等限定されるものでなく、当業者の知識に基づいて種々なる変更、修正、改良等を加えた態様で実施可能である。また、そのような実施態様が本考案の趣旨を逸脱しない限り、何れも、本考案の範囲内に含まれるものであることは、言うまでもない。
【００５６】
例えば、前記実施形態では、全体として略円盤形状を有する表示装置１０が、島１４のパチンコ機１２の上方においてパチンコ機の並列方向と平行に複数設けられていたが、かかる表示装置１０における形状や大きさ、構造、数、島１４への配置等の態様は例示の如き態様に限定されるものでなく、要求される意匠や製作性等に応じて、表示装置を多角形状としたり、島における表示装置の位置をパチンコ機の左右や下方に設定したりすることも可能である。
【００５７】
また、前記実施形態においては、各表示装置１０の印刷シート２２にそれぞれ単一の印刷情報が付されていたが、例えば複数の表示装置の印刷シートに文字または図案の一部をそれぞれ付して、複数の表示装置を組み合わせることで、一つの情報が構成されるようにしても良い。
【００５８】
さらに、前記実施形態では、ＬＥＤ基板２０の各ＬＥＤ４６の発光を制御する制御手段が、表示装置１０の外部に配されたパチンコ機１２本体を制御するＣＰＵ等によって構成されていたが、例えばＬＥＤ基板とベース部材の間等に配したＣＰＵ等によって、各ＬＥＤを直接に制御することも可能である。
【００５９】
更にまた、前記実施形態では、保護プレート２４とカバー部材１８が、係合突起５２と係合凹所４０との係合機構を利用して固定されていたが、例えばかかる係合機構に代えて或いは加えて、ボルトやビス等を用いて着脱可能に固定されることによって、保護プレートとカバー部材が一層強固に固定されるようにしても良い。
【００６０】
また、前記実施形態においては、保護プレート２４や印刷シート２２を嵌め込む嵌合凹所３６が、カバー部材１８の底部（光透過部３８）から外方に開口していることで、保護プレート２４や印刷シート２２がカバー部材１８の外方から光透過部３８に重ね合わされていたが、例えば、嵌合凹所をカバー部材の内側に設けて、カバー部材の周壁部分の開口端部から印刷シートや保護プレートを嵌め入れることで、これら保護プレートや印刷シートをカバー部材の内側から光透過部に重ね合わせることも可能である。
【図面の簡単な説明】
【００６１】
【図１】本考案の一実施形態としての表示装置がパチンコ機の島に設置された状態を示す正面図。
【図２】同表示装置の正面図。
【図３】図２のＩＩＩ−ＩＩＩ断面図。
【図４】同表示装置の一部を構成するベース部材の正面図。
【図５】同ベース部材の背面図。
【図６】図４のＶＩ−ＶＩ断面図。
【図７】図４のＶＩＩ−ＶＩＩ断面図。
【図８】同表示装置の一部を構成するカバー部材の正面図。
【図９】同カバー部材の背面図。
【図１０】図８のＸ−Ｘ断面図。
【図１１】図８のＸＩ−ＸＩ断面図。
【図１２】同表示装置の一部を構成するＬＥＤ基板を概略的に示す正面図。
【図１３】図１２のＸＩＩＩ−ＸＩＩＩ断面図。
【図１４】同表示装置の一部を構成する印刷シートの正面図。
【図１５】図１４のＸＶ−ＸＶ断面図。
【図１６】同表示装置の一部を構成する保護プレートの正面図。
【図１７】図１６のＸＶＩＩ−ＸＶＩＩ断面図。
【符号の説明】
【００６２】
１０…表示装置、１２…パチンコ機、１４…島、１５…遊技盤、１６…ベース部材、１８…カバー部材、２２…印刷シート、２４…保護プレート、３０…貫通孔、３８…光透過部、４６…ＬＥＤ
【図１】
0003148857.tif 000003
【図２】
0003148857.tif 000004
【図４】
0003148857.tif 000005
【図５】
0003148857.tif 000006
【図６】
0003148857.tif 000007
【図７】
0003148857.tif 000008
【図８】
0003148857.tif 000009
【図９】
0003148857.tif 000010
【図１０】
0003148857.tif 000011
【図１１】
0003148857.tif 000012
【図１２】
0003148857.tif 000013
【図１４】
0003148857.tif 000014
【図１５】
0003148857.tif 000015
【図１６】
0003148857.tif 000016
【図１７】
0003148857.tif 000017
【図３】
0003148857.tif 000018
【図１３】
0003148857.tif 000019